(57)【特許請求の範囲】
【請求項１】
遊技媒体を貯留する貯留部を有する遊技媒体収容箱であって、
貯留部における遊技媒体の貯留状態を疑似的に演出する疑似演出手段を有し、
疑似演出手段は、遊技媒体収容箱を所定の姿勢に変更した際に、前記遊技媒体収容箱の姿勢の変更に伴って、少なくとも、貯留部の側面側から視認できる演出姿勢をとることを特徴とする遊技媒体収容箱。
【請求項２】
疑似演出手段は、少なくとも一方の面に演出面を有した板状体を有し、
所定の姿勢に変更した際に板状体にかかる重力によって、演出姿勢となることを特徴とする請求項１に記載の遊技媒体収容箱。
【請求項３】
疑似演出手段は、通常使用時では、貯留部の底板となる貯留姿勢をとり、
貯留姿勢において、板状体は、水平方向を向くように配されており、
遊技媒体収容箱の天地を逆転させることによって演出姿勢に変更され、
演出姿勢において、板状体は、水平方向に対して交差する方向を向くことを特徴とする請求項２に記載の遊技媒体収容箱。
【発明の詳細な説明】
【技術分野】
【０００１】
本発明は、遊技媒体を貯留する遊技媒体収容箱に関するものである。
【背景技術】
【０００２】
遊技機として一般的に知られているものに、例えば弾球遊技機（所謂パチンコ機）やスロット機がある。特にパチンコ機は、遊技媒体としてパチンコ球（以下、球ともいう）を使用して遊技するものである。このパチンコ機においては、遊技中に球が入賞口に入賞し、大当たりに当選するなどの所定条件が成立することによって、所定個数の球がパチンコ機から遊技者に対して払い出される。なお、スロット機においてもパチンコ機同様、大当たりに当選するなどの所定の条件が成立すると所定枚数のメダルが払い出される構成を有しているが、以下の説明では、理解を容易にするためにパチンコ機に注目して説明する。
【０００３】
そして、パチンコ機から払い出された球のうち、少なくともパチンコ機に備えられた受け皿（上皿及び下皿）の収容量を超える分が手動操作によって、所定の貯留箱に貯留され、その貯留箱は、遊技者が遊技を終了するまで遊技場の床等に並べられる（例えば特許文献１）。これは、他の遊技者に対して、遊技場における現在の球の出具合を効果的に知らしめる手段とされており、遊技者の遊技意欲を高めたり、場内の活気を高めたりするための演出（以下、出球演出ともいう）の１つとなっていた。即ち、大当たりに当選することによって多量の球が払い出され、遊技者の足元に球を収容した貯留箱を複数段積み重ねることが、他の遊技者の球の出具合の指標となり、自分が実際に遊技するか否かを判断する指標となる場合が多い。
【先行技術文献】
【特許文献】
【０００４】
【特許文献１】特開２００８−３０１８６０号公報
【発明の概要】
【発明が解決しようとする課題】
【０００５】
ところで、遊技場の経営者にとっては、より多くの集客を望むため、他の遊技者に強い印象を与える必要がある。
そこで、従来から他の遊技者に強い印象を与える方策の１つとして、空の貯留箱上に球を貯留した貯留箱を載置し、疑似的にかさ上げされている。即ち、他の遊技者の目線に貯留箱を近づけて貯留箱内の球を見えやすくし、実際の出球以上の演出効果が図られている。
しかしながら、出球演出としてかさ上げに使用される最下層の貯留箱は単なる空箱であり、演出効果として十分満足いくものでは無かった。
【０００６】
そこで、本発明は上記課題を解決すべくなされたもので、演出効果の高い遊技媒体収容箱を提供することである。
【課題を解決するための手段】
【０００７】
上記した課題を解決するための請求項１に記載の発明は、遊技媒体を貯留する貯留部を有する遊技媒体収容箱であって、貯留部における遊技媒体の貯留状態を疑似的に演出する疑似演出手段を有し、疑似演出手段は、遊技媒体収容箱を所定の姿勢に変更した際に、前記遊技媒体収容箱の姿勢の変更に伴って、少なくとも、貯留部の側面側から視認できる演出姿勢をとることを特徴とする遊技媒体収容箱である。
また、本発明は、遊技媒体を貯留する貯留部を有する遊技媒体収容箱であって、貯留部における遊技媒体の貯留状態を疑似的に演出する疑似演出手段を有し、疑似演出手段は、遊技媒体収容箱を所定の姿勢に変更した際に、少なくとも、貯留部の側面側から視認できる演出姿勢をとることを特徴とする。
【０００８】
ここでいう「所定の姿勢に変更」とは、遊技媒体収容箱の姿勢が変更すればよく、例えば、遊技媒体収容箱の天地を逆転させたものや、遊技媒体収容箱の天地を水平方向に向け、立てたものも含む概念である。言い換えると、遊技媒体収容箱の姿勢は、貯留部の遊技媒体を導入する入口を基準として左右上下前後いずれの方向を向いていてもよい。
【０００９】
かかる構成によれば、疑似演出手段は、遊技媒体収容箱を所定の姿勢に変更した際に、少なくとも、貯留部の側面側から視認できる演出姿勢をとる。例えば、従来のように床面に並べて演出する場合、遊技媒体収容箱内に遊技媒体が貯留されていなくても、演出姿勢にすることによって、出球演出を演出することが可能である。
また、例えば、従来のように演出姿勢の遊技媒体収容箱上に遊技媒体収容箱又公知の貯留箱を載置していくことによって、床面に並べて演出する場合、実際の出球以上の演出効果を得ることができる。即ち、遊技媒体収容箱の段数が少なく演出効果が希薄になっても、本発明の遊技媒体収容箱を導入することで、演出効果が薄いという不具合を払拭できるため、集客率が低迷するという問題が解消する。
【００１０】
請求項２に記載の発明は、疑似演出手段は、少なくとも一方の面に演出面を有した板状体を有し、所定の姿勢に変更した際に板状体にかかる重力によって、演出姿勢となることを特徴とする請求項１に記載の遊技媒体収容箱である。
【００１１】
ここでいう「演出面」とは、遊技媒体の疑似的な絵や、遊技媒体の個数表示等の演出効果を有する面を表す。
【００１２】
かかる構成によれば、所定の姿勢に変更した際にかかる板状体の重力によって、演出姿勢となるため、演出姿勢にする際にモーターや電池といった外部の動力源が必要ない。即ち、煩わしい設定等が必要なく、かつ低コストである。
【００１３】
請求項３に記載の発明は、疑似演出手段は、通常使用時では、貯留部の底板となる貯留姿勢をとり、貯留姿勢において、板状体は、水平方向を向くように配されており、遊技媒体収容箱の天地を逆転させることによって演出姿勢に変更され、演出姿勢において、板状体は、水平方向に対して交差する方向を向くことを特徴とする請求項２に記載の遊技媒体収容箱である。
【００１４】
かかる構成によれば、貯留姿勢において、板状体は、水平方向を向くように配されている。即ち、貯留姿勢において、板状体は、遊技媒体収容箱の底の一部又は全部として機能し、通常の貯留機能を損なうこと無く、貯留できる。
また、遊技媒体収容箱の天地を逆転させることによって演出姿勢に変更され、演出姿勢において、板状体は、水平方向に対して交差する方向を向く。即ち、重力によって、板状体は、水平方向に対して交差する方向を向き演出面が他の遊技者から視認できる。即ち、空箱状態の遊技媒体収容箱をひっくり返すだけで、演出姿勢となるので、煩わしい操作が必要ない。
【発明の効果】
【００１５】
本発明の構成によれば、疑似演出手段は、遊技媒体収容箱を所定の姿勢に変更した際に、少なくとも、貯留部の側面側から視認できる演出姿勢をとる。例えば、従来のように床面に並べて演出する場合、遊技媒体収容箱内に遊技媒体が貯留されていなくても、演出姿勢にすることによって、出球演出を演出することが可能である。
また、例えば、従来のように演出姿勢の遊技媒体収容箱上に遊技媒体収容箱又公知の貯留箱を載置していくことによって、床面に並べて演出する場合、実際の出球以上の演出効果を得ることができる。即ち、遊技媒体収容箱の段数が少なく演出効果が希薄になっても、本発明の遊技媒体収容箱を導入することで、演出効果が薄いという不具合を払拭できるため、集客率が低迷するという問題がなくなる。
【図面の簡単な説明】
【００１６】
【図１】本発明における遊技場の構造を備えた遊技場の状況を示す説明図である。
【図２】遊技者が遊技機を遊技した状況を示す説明図である。
【図３】本発明の第１実施形態にかかる遊技媒体収容箱の斜視図である。
【図４】図３の遊技媒体収容箱の分解斜視図である。
【図５】図３の遊技媒体収容箱の各姿勢における説明図であり、（ａ）貯留姿勢における遊技媒体収容箱を表すＡ−Ａ断面図、（ｂ）演出姿勢における遊技媒体収容箱を表すＡ−Ａ断面図、（ｃ）（ｂ）を９０度回転させた状態を示す側面図である。
【図６】本発明の第１実施形態にかかる遊技媒体収容箱の使用例である。
【図７】図６の遊技媒体収容箱を別の角度から見た説明図である。
【図８】本発明の第２実施形態にかかる遊技媒体収容箱の斜視図である。
【図９】図８の遊技媒体収容箱の分解斜視図であり、理解を容易にするため、筐体部の一部を破断している。
【図１０】図８の遊技媒体収容箱の各姿勢における説明図であり、（ａ）貯留姿勢における遊技媒体収容箱を表すＢ−Ｂ断面図、（ｂ）演出姿勢における遊技媒体収容箱を表すＢ−Ｂ断面図、（ｃ）（ｂ）を９０度回転させた状態を示す側面図である。
【図１１】本発明の第３実施形態にかかる遊技媒体収容箱の斜視図である。
【図１２】図１１の遊技媒体収容箱の分解斜視図である。
【図１３】図１１の遊技媒体収容箱の各姿勢における説明図であり、（ａ）貯留姿勢における遊技媒体収容箱を表すＣ−Ｃ断面図、（ｂ）演出姿勢における遊技媒体収容箱を表すＣ−Ｃ断面図、（ｃ）（ｂ）を９０度回転させた状態を示す側面図である。
【図１４】本発明の第４実施形態にかかる遊技媒体収容箱の斜視図である。
【図１５】図１４の遊技媒体収容箱の分解斜視図である。
【図１６】図１５の疑似演出部材を表すＥ方向矢視図である。
【図１７】図１４の遊技媒体収容箱の各姿勢における説明図であり、（ａ）貯留姿勢における遊技媒体収容箱を表すＤ−Ｄ断面図、（ｂ）演出姿勢における遊技媒体収容箱を表すＤ−Ｄ断面図、（ｃ）（ｂ）を９０度回転させた状態を示す側面図である。
【発明を実施するための形態】
【００１７】
以下、本発明の実施形態について詳細に説明する。
なお、以下の説明において、特に断りがない限り、上下左右の位置関係は、図３の通常の設置位置（貯留姿勢）を基準に説明する。
【００１８】
本実施形態の遊技媒体収容箱１は、主に遊技場の床面に載置されるものである。本実施形態の遊技媒体収容箱１の構成に先立って、遊技場の構造について説明する。
遊技場は、主に複数の遊技機（パチンコ機やスロット機等）１５０を１つの群とした所謂遊技島１５１が複数配されている。そこで、以下の説明においては、理解を容易にするために、１つの遊技島１５１（遊技機群）に注目して説明する。なお、本実施形態においては、遊技機１５０の具体例として、パチンコ機の場合について述べる。
【００１９】
即ち、図１に示すように、遊技島１５１においては、所定台数分（図１では５台分）の遊技機取り付け部１５２が設けられており、その各遊技機取り付け部１５２に１台ずつ遊技機１５０が設置されている。具体的には、遊技島１５１においては、所定の台数の遊技機１５０が２列（図１の正面側に１列、後面側に１列）に配され、各列に遊技機１５０が並設されている。そして、各遊技機１５０に対向する位置に遊技者が着座可能な椅子（図２）が１脚ずつ配置されている。
【００２０】
ところで、遊技機１５０は、上述したように、遊技媒体（パチンコ球）を使用して遊技する。この遊技機１５０においては、遊技中に球が入賞口に入賞し、大当たりに当選するなどの所定条件が成立することによって、所定個数の球が遊技機１５０から遊技者に対して払い出される。
【００２１】
そして、遊技機１５０から払い出された球のうち、少なくとも遊技機１５０に備えられた受け皿（図示しない）の収容量を超える分が手動操作によって、所定の貯留箱又は遊技媒体収容箱１に貯留され、その遊技媒体収容箱１は、遊技者が遊技を終了するまで遊技場の床面に並べられる。
この時、本発明の遊技媒体収容箱１上に、球を貯留した貯留箱又は遊技媒体収容箱１を載置し、疑似的にかさ上げする。そして、本発明は、このかさ上げされた状態での最下部に配される遊技媒体収容箱１に特徴を有する。以下、遊技媒体収容箱１について説明する。
【００２２】
本発明の遊技媒体収容箱１は、少なくとも遊技媒体を貯留する貯留姿勢と、遊技媒体の貯留状態を演出する演出姿勢とを取ることが可能である。
遊技媒体収容箱１は、図３のように筐体部２と、疑似演出手段３とを有する。
【００２３】
まず、筐体部２の構成について説明する。
筐体部２は、図４のように略直方体状の本体部５と使用者が持ち運ぶ為の把持部１２とを有している。
本体部５は、長方形状の底面部７と、底面部７の端部から上方向に延びた４つの側壁部８ａ〜８ｄからなっている。即ち、底面部７の上方には、４つの側壁部８ａ〜８ｄに囲まれた貯留空間１０が形成されている。
側壁部８ａ〜８ｄの内、少なくとも、底面部７の長辺と連続する側壁部８ａ、８ｃは透明となっており、側壁部８ａ、８ｃを隔てて外部から貯留空間１０が視認できるようになっている。ここでいう「透明」とは、透き通って対向位置のものが見える状態を表す。即ち、透明度は問わない。
本実施形態では、側壁部８ａ〜８ｄの全てが透明となっている。
そして、側壁部８ａ〜８ｄの上端部（底面部７と対向側）には外側方向（貯留空間１０と対向する方向）に張り出した張出部１１ａ〜１１ｄが設けられている。そして、底面部７の短辺側の張出部１１ｂ、１１ｄは、略中央部に把持部１２と接続されている。
把持部１２は、使用者が持ち運ぶ際に把持する部位である。そして、張出部１１ｂ、１１ｄと把持部１２は互いに面一となっている。
本体部５の下部に目を移すと、底面部７の短辺と接続する側壁部８ｂ、８ｄの両端部には複数の貫通孔２０が設けられている。貫通孔２０は、後述する支軸２１を挿入可能となっている。貫通孔２０は、貯留空間１０を介して、本体部５を直線上に貫通した貫通孔である。
本実施形態の貫通孔２０は、本体部５の側壁部８ｂ、８ｄの一方の端部（側壁部８ａ側）に貫通孔２０ａ、２０ｂ、本体部５の側壁部８ｂ、８ｄの他方の端部（側壁部８ｃ側）に貫通孔２０ｃが設けられている。
【００２４】
続いて、疑似演出手段３の構成について説明する。
疑似演出手段３は、複数の疑似演出部材１５（本実施形態では２つ）と、連結部材１６とを有している。
本実施形態では、疑似演出手段３は、貯留姿勢において、上部に位置する疑似演出部材１５ａと下部に位置する疑似演出部材１５ｂと、その両部材を連結する連結部材１６とを有している。疑似演出手段３は、本体部５内に底面部７に平行となる姿勢で収納可能となっている。
疑似演出部材１５ａは、図４のように少なくとも上面に、遊技媒体の絵等を施した演出面１７を有した板状体である。疑似演出部材１５ａの幅方向（図４のｗ方向）両端面は、円弧状となっており、丸みを帯びている。疑似演出部材１５ａの外側方向（側壁部８ａ側）先端部付近に長手方向（図４のｌ方向）全体に亘って貫通した貫通孔２８を有している。
疑似演出部材１５ｂは、少なくとも上面に、遊技媒体の絵等を施した演出面１７を有した板状体である。疑似演出部材１５ｂの幅方向（図４のｗ方向）両端面は、円弧状となっており、丸みを帯びている。疑似演出部材１５ｂの外側方向側壁部８ｃ側先端部付近に長手方向（ｌ方向）全体に亘って貫通した貫通孔３０を有している。
また、疑似演出部材１５ａ、１５ｂの長手方向（図４のｌ方向）の長さは、側壁部８ｂの内面と側壁部８ｄの内面間の長さＬよりもやや小さい。疑似演出部材１５ａの幅方向（図４のｗ方向）の長さＷａは、疑似演出部材１５ｂの幅方向（図４のｗ方向）の長さＷｂより小さい。
【００２５】
連結部材１６は、２枚の板部材の一部が上下方向に重なった形状をしている。即ち、その重なり部分である連結本体２２と、連結本体２２から一方の方向（側壁部８ｃ側）に張り出した上部連結部２５と、連結本体２２から上部連結部２５と対向する方向（側壁部８ａ側）に張り出した下部連結部２６とを有している。
上部連結部２５は、連結本体２２の厚み方向上部から外側方向（側壁部８ｃ側）に張り出した部位である。上部連結部２５の張出長さ（連結本体２２から上部連結部２５の突出方向先端までの長さ）は、疑似演出部材１５ｂの幅方向の長さＷｂとほぼ等しい。
下部連結部２６は、連結本体２２の厚み方向下部から外側方向（側壁部８ａ側）に張り出した部位である。下部連結部２６の張出長さ（連結本体２２から下部連結部２６の突出方向先端までの長さ）は、疑似演出部材１５ａの幅方向の長さＷａとほぼ等しい。また、上部連結部２５の張出長さは、下部連結部２６の張出長さよりも大きい。
また、下部連結部２６の張出方向先端部付近に長手方向（図４のｌ方向）全体に亘って貫通した貫通孔２７を有している。貫通孔２７は支軸２１を挿入可能な孔である。
支軸２１は、断面形状が円形の棒状体である。支軸２１の長さは、筐体部２の側壁部８ｂの外面と側壁部８ｄの外面間の距離にほぼ等しい。
また、図４のように連結本体２２の幅方向の長さＷｃは、側壁部８ａ及び側壁部８ｃの高さＨによって決定される。詳説すると、連結部材１６の幅方向ｗの全体の長さは、側壁部８ａから側壁部８ｃまでの距離にほぼ等しい。そして、側壁部８ｃの高さＨは、疑似演出部材１５ｂの幅方向の長さＷｂとほぼ等しい。一方、側壁部８ａの高さＨは、疑似演出部材１５ａの幅方向の長さＷａと下部連結部２６の厚み方向の長さＨａの和にほぼ等しい。即ち、連結本体２２の幅方向の長さＷｃは、連結部材１６の幅方向ｗの全体の長さから、側壁部８ａ及び側壁部８ｃの高さの和である２Ｈを引き、さらに厚み方向の長さＨａを足すことによって求まる。
【００２６】
続いて、各姿勢における遊技媒体収容箱１の各部材の位置関係、特に筐体部２と疑似演出手段３の位置関係について、主に図５を参照しながら説明する。
まず、説明の都合上、図３のような筐体部２内に疑似演出手段３が収納され、球を貯留可能な姿勢（以下、貯留姿勢ともいう）から説明する。
貯留姿勢では、遊技媒体収容箱１は、図５（ａ）のように連結本体２２及び下部連結部２６の下面、疑似演出部材１５ｂの下面が面一となっており、いずれも筐体部２の底面部７と接触している。
上部連結部２５の下面は、疑似演出部材１５ｂの上面と接触している。下部連結部２６の上面は、疑似演出部材１５ａの下面と接触している。上部連結部２５及び連結本体２２の上面と疑似演出部材１５ａは面一となっている。
即ち、連結部材１６及び疑似演出部材１５ａ、１５ｂは一体となって、水平方向を向いており、底板として機能している。
【００２７】
疑似演出部材１５ｂの貫通孔３０と側壁部８ｂ、８ｄの貫通孔２０ｃは、連続しており、１つの貫通孔を形成している。そして、その内部に支軸２１が挿入されている。即ち、疑似演出部材１５ｂは、支軸２１を回転軸として周方向に回動可能となっている。
下部連結部２６の貫通孔２７と側壁部８ｂ、８ｄの貫通孔２０ｂは、連続しており、１つの貫通孔を形成している。そして、その内部に支軸２１が挿入されている。即ち、下部連結部２６（連結部材１６）は、支軸２１を回転軸として周方向に回動可能となっている。
疑似演出部材１５ａの貫通孔２８と側壁部８ｂ、８ｄの貫通孔２０ａは、連続しており、１つの貫通孔を形成している。そして、その内部に支軸２１が挿入されている。即ち、疑似演出部材１５ａは、支軸２１を回転軸として周方向に回動可能となっている。
【００２８】
次に、遊技媒体収容箱１を矢印（図５（ａ）参照）のように回転させて天地を逆転させる。この時、図５（ｂ）のような筐体部２の側面側から演出面１７を視認できる姿勢（以下、演出姿勢ともいう）を取る。
疑似演出部材１５ｂは、重力によって、支軸２１を回転軸として底面部７側から側壁部８ｃ側に回転する。即ち、疑似演出部材１５ｂは、水平方向に対して交差する方向に向いている。疑似演出部材１５ｂの端部（支軸２１と対向する側）は、張出部１１の下面（図５（ｂ）では上面）まで達している。そして、図５（ｃ）のように筐体部２の外側から疑似演出部材１５ｂの演出面１７が視認できるようになっている。
また、連結部材１６は、重力によって、支軸２１を回転軸として底面部７側から離反する方向に回転する。連結部材１６の端部（支軸２１と対向する側）は、地面と当接している。
また、疑似演出部材１５ａは、重力によって、支軸２１を回転軸として下部連結部２６側から側壁部８ａ側に回転する。即ち、疑似演出部材１５ａは、水平方向に対して交差する方向に向いている。疑似演出部材１５ａの端部（支軸２１と対向する側）は、張出部１１の下面（図５（ｂ）では上面）まで達している。そして、疑似演出部材１５ｂと同様に、筐体部２の外側から疑似演出部材１５ａの演出面１７が視認できるようになっている。
【００２９】
本発明の第１実施形態の遊技媒体収容箱１によれば、例えば、図６のように床面に並べて演出する場合、遊技媒体収容箱１内に遊技媒体が貯留されていなくても、演出姿勢にすることによって、図７のように演出面１７によって出球演出を演出することが可能である。
第１実施形態の遊技媒体収容箱１によれば、貯留姿勢において、疑似演出手段３の天面を連結部材１６によって面一にしているため、遊技媒体が部材の隙間に挟まることを防止することが可能である。
【００３０】
続いて、以下、本発明の第２実施形態について説明する。なお、第１実施形態と同様のものは同じ符番を付して説明を省略する。
【００３１】
第２実施形態の遊技媒体収容箱５０は、第１実施形態の遊技媒体収容箱１と同様、遊技媒体を貯留する貯留姿勢と、遊技媒体の貯留状態を演出する演出姿勢とを取ることが可能である。
遊技媒体収容箱５０は、図８のように筐体部５２と、疑似演出手段５３とを有する。
筐体部５２は、図９のように略直方体状の本体部５５と使用者が持ち運ぶ為の把持部１２とを有している。
本体部５５は、第１実施形態の本体部５とほぼ同様の構成を有しており、第１実施形態の本体部５の構成に加えて、底面部７から幅方向中央部に上方向に突出した連結部５６と、側壁部８ａ及び側壁部８ｃの上部に側壁部８ａ及び側壁部８ｃから内側方向に厚みを持った演出用突出部５７を有している。
連結部５６は、底面部７の長手方向全体に亘って形成された接続部６１と、その接続部６１から外側方向に突出した複数の底板側係合部５８（本実施形態では４個）を有している。具体的には、連結部５６は、長手方向両端部に底板側突出部６２を有しており、さらに、その幅方向に対向する位置にも同様の底板側突出部６２が設けられている。底板側突出部６２の突出方向先端には、外側方向に凹凸を有した底板側係合部５８を有している。底板側係合部５８は、貯留姿勢において、後述する疑似演出部材６０ａ及び疑似演出部材６０ｂの演出部材側係合部６５と係合する部位である。
また、側壁部８ｂ及び側壁部８ｄの下部には、貫通孔６３が設けられている。貫通孔６３は、貯留空間１０を介して、本体部５５を直線上に貫通した貫通孔である。
【００３２】
筐体部５２の上部に位置する演出用突出部５７は、側壁部８ａ及び側壁部８ｃに複数設けられており、本実施形態では、側壁部８ａ及び側壁部８ｃにそれぞれ長手方向両端部に２箇所ずつ設けられている。演出用突出部５７は、下方向に凹凸を有した演出用係合部６６を有している。演出用係合部６６は、演出姿勢において、後述する疑似演出部材６０ａ及び疑似演出部材６０ｂの演出部材側係合部６５と係合する部位である。
【００３３】
疑似演出手段５３に目を移すと、疑似演出手段５３は、複数の疑似演出部材６０（本実施形態では２つ）を有している。
本実施形態では、疑似演出手段５３は、図９のように側壁部８ａ側に位置する疑似演出部材６０ａ（図面右側）と側壁部８ｃ側に位置する疑似演出部材６０ｂ（図面左側）とを有している。
疑似演出部材６０ａは、第１実施形態の疑似演出部材１５ａとほぼ同様の構成を有しており、第１実施形態の疑似演出部材１５ａの構成に加えて、疑似演出部材６０ａの内側方向（側壁部８ａ側）に向かって切り欠いた演出部材側切り欠き部６７を複数有している。
一方、疑似演出部材６０ｂも、第１実施形態の疑似演出部材１５ｂとほぼ同様の構成を有しており、第１実施形態の疑似演出部材１５ｂの構成に加えて、疑似演出部材６０ｂの内側方向（側壁部８ｃ側）に向かって切り欠いた演出部材側切り欠き部６７を複数有している。
言い換えると、疑似演出部材６０ａ及び疑似演出部材６０ｂは、演出部材側切り欠き部６７に対して内側方向（連結部５６側）に張り出した演出部材側張出部６８を有している。また、疑似演出部材６０ａと疑似演出部材６０ｂの幅方向の長さはほぼ等しい。
演出部材側切り欠き部６７は、演出部材側係合部６５を有している。演出部材側係合部６５は、内側に向かって凹凸を有した部位である。そして、演出部材側係合部６５は、上述したように貯留姿勢において、連結部５６の底板側係合部５８と係合し、演出姿勢において、側壁部８ａ又は側壁部８ｃの演出用突出部５７と係合可能となっている。
また、演出部材側張出部６８は、貯留姿勢において、連結部５６の接続部６１に当接可能となっている。
【００３４】
続いて、各姿勢における遊技媒体収容箱５０の各部材の位置関係、特に筐体部５２と疑似演出手段５３の位置関係について、主に図１０を参照しながら説明する。
まず、貯留姿勢から説明する。
貯留姿勢では、遊技媒体収容箱５０は、図１０（ａ）のように連結部５６、疑似演出部材６０ａ、疑似演出部材６０ｂの下面は、面一となっており、いずれも筐体部５２の底面部７と接触している。
また、連結部５６、疑似演出部材６０ａ、疑似演出部材６０ｂの上面も、面一となっている。
即ち、連結部５６及び疑似演出部材６０ａ、疑似演出部材６０ｂは一体となって、水平方向を向いており、底板として機能している。
【００３５】
疑似演出部材６０ａの貫通孔２８と側壁部８ｂ、８ｄの貫通孔６３は、連続しており、１つの貫通孔を形成している。そして、その内部に支軸２１が挿入されている。即ち、疑似演出部材６０ａは、支軸２１を回転軸として周方向に回動可能となっている。
疑似演出部材６０ｂの貫通孔３０と側壁部８ｂ、８ｄの貫通孔６３は、連続しており、１つの貫通孔を形成している。そして、その内部に支軸２１が挿入されている。即ち、疑似演出部材６０ｂは、支軸２１を回転軸として周方向に回動可能となっている。
疑似演出部材６０ａ及び疑似演出部材６０ｂの演出部材側係合部６５は、連結部５６の底板側係合部５８と係合している。
【００３６】
次に、遊技媒体収容箱５０を矢印（図１０（ａ）参照）のように回転させて天地を逆転させる。この時、図１０（ｂ）のような筐体部５２の側面側から演出面１７を視認できる姿勢（以下、演出姿勢ともいう）を取る。
疑似演出部材６０ａは、重力によって、支軸２１を回転軸として底面部７側から側壁部８ａ側に回転する。即ち、疑似演出部材６０ａは、水平方向に対して交差する方向に向いている。疑似演出部材６０ａの演出部材側張出部６８の張り出し方向先端は、張出部１１の下面まで達している。そして、図１０（ｃ）のように筐体部５２の外側から疑似演出部材６０ａの演出面１７が視認できるようになっている。
また、疑似演出部材６０ｂは、重力によって、支軸２１を回転軸として底面部７側から側壁部８ｃ側に回転する。即ち、疑似演出部材６０ｂは、水平方向に対して交差する方向に向いている。疑似演出部材６０ｂの演出部材側張出部６８の張り出し方向先端は、張出部１１の下面まで達している。そして、疑似演出部材６０ａと同様、筐体部５２の外側から疑似演出部材６０ｂの演出面１７が視認できるようになっている。
【００３７】
続いて、以下、本発明の第３実施形態について説明する。なお、第１、２実施形態と同様のものは同じ符番を付して説明を省略する。
【００３８】
第３実施形態の遊技媒体収容箱８０は、第２実施形態の遊技媒体収容箱５０と係合方法が異なる。
遊技媒体収容箱８０は、図１１のように筐体部８２と、疑似演出手段８３とを有する。
筐体部８２は、略直方体状の本体部８５と使用者が持ち運ぶ為の把持部１２とを有している。
本体部８５は、第１実施形態の本体部５とほぼ同様の構成を有しており、第１実施形態の本体部５の構成に加えて、側壁部８ａ及び側壁部８ｃの上部に側壁部８ａ及び側壁部８ｃから内側方向に突出した演出用突出部８７を有している。
演出用突出部８７は、図１２のように側壁部８ａ及び側壁部８ｃに複数設けられており、本実施形態では、側壁部８ａ及び側壁部８ｃにそれぞれ長手方向両端部に２箇所ずつ設けられている。
演出用突出部８７は、接続部８８と係合部８９を有している。係合部８９は接続部８８の突出方向先端から上方に向かって延びている。そして、係合部８９は断面形状が略直角三角形状となっており、その斜辺が内側上方を向いている。
また、側壁部８ｂ及び側壁部８ｄの下部には、貫通孔８６が設けられている。
【００３９】
疑似演出手段８３に目を移すと、疑似演出手段８３は、複数の疑似演出部材９０（本実施形態では２つ）を有している。
本実施形態では、疑似演出手段８３は、疑似演出部材９０ａと疑似演出部材９０ｂとを有している。
疑似演出部材９０ａは、第１実施形態の疑似演出部材１５ａとほぼ同様の構成を有しており、第１実施形態の疑似演出部材１５ａの構成に加えて、疑似演出部材９０ａの長手方向両端部付近に係合孔９３を有している。
疑似演出部材９０ｂも、第１実施形態の疑似演出部材１５ｂとほぼ同様の構成を有しており、第１実施形態の疑似演出部材１５ｂの構成に加えて、疑似演出部材９０ｂの長手方向両端部付近に係合孔９３を有している。
係合孔９３は、疑似演出部材９０ａ又は疑似演出部材９０ｂの厚み方向に貫通した孔である。
【００４０】
続いて、各姿勢における遊技媒体収容箱８０の各部材の位置関係、特に筐体部８２と疑似演出手段８３の位置関係について、主に図１３を参照しながら説明する。
まず、貯留姿勢から説明する。
貯留姿勢では、遊技媒体収容箱８０は、図１３（ａ）のように疑似演出部材９０ａ、疑似演出部材９０ｂの下面は、面一となっており、いずれも筐体部２の底面部７と接触している。
また、疑似演出部材９０ａ、疑似演出部材９０ｂの上面も、面一となっている。即ち、疑似演出部材９０ａ、疑似演出部材９０ｂは一体となって、水平方向を向いており、底板として機能している。
【００４１】
疑似演出部材９０ａの貫通孔２８と側壁部８ｂ、８ｄの貫通孔８６は、連続しており、１つの貫通孔を形成している。そして、その内部に支軸２１が挿入されている。即ち、疑似演出部材９０ａは、支軸２１を回転軸として周方向に回動可能となっている。
疑似演出部材９０ｂの貫通孔３０と側壁部８ｂ、８ｄの貫通孔８６は、連続しており、１つの貫通孔を形成している。そして、その内部に支軸２１が挿入されている。即ち、疑似演出部材９０ｂは、支軸２１を回転軸として周方向に回動可能となっている。
【００４２】
次に、遊技媒体収容箱８０を矢印（図１３（ａ）参照）のように回転させて天地を逆転させて、疑似演出部材９０ａ、９０ｂの係合孔９３内に側壁部８ａ、８ｃの演出用突出部８７を撓ませて挿入する。この時、図１３（ｂ）のような筐体部８２の側面側から演出面１７を視認できる姿勢（以下、演出姿勢ともいう）を取る。
疑似演出部材９０ａは、重力によって、支軸２１を回転軸として底面部７側から側壁部８ａ側に回転する。即ち、疑似演出部材９０ａは、水平方向に対して交差する方向に向いている。疑似演出部材９０ａの端部（支軸２１と対向する側）は、張出部１１の下面（図１３（ｂ）では上面）まで達している。また、疑似演出部材９０ａの係合孔９３内に側壁部８ａの演出用突出部８７が挿入されており、疑似演出部材９０ａの下面（図１３（ｂ）では内側面）に係合部８９が係合している。そして、図１３（ｃ）のように筐体部５２の外側から疑似演出部材９０ａの演出面１７が視認できるようになっている。
【００４３】
また、疑似演出部材９０ｂは、重力によって、支軸２１を回転軸として底面部７側から側壁部８ｃ側に回転する。即ち、疑似演出部材９０ｂは、水平方向に対して交差する方向に向いている。疑似演出部材９０ｂの端部（支軸２１と対向する側）は、張出部１１の下面（図面では上面）まで達している。
また、疑似演出部材９０ｂの係合孔９３内に側壁部８ｃの演出用突出部８７が挿入されており、疑似演出部材９０ｂの内側面に係合部８９が係合している。そして、疑似演出部材９０ａと同様に、筐体部５２の外側から疑似演出部材９０ｂの演出面１７が視認できるようになっている。
【００４４】
続いて、以下、本発明の第４実施形態について説明する。なお、第１〜３実施形態と同様のものは同じ符番を付して説明を省略する。
【００４５】
第４実施形態の遊技媒体収容箱１００は、筐体部１０２と疑似演出手段１０３との接続に蝶番１１５（図１５参照）を用い、疑似演出手段１０３の固定に演出用スイッチ部１０７を用いている。
筐体部１０２は、図１４のように略直方体状の本体部１０５と使用者が持ち運ぶ為の把持部１２とを有している。
本体部１０５は、図１５のように第１実施形態の本体部５とほぼ同様の構成を有しており、第１実施形態の本体部５の構成に加えて、演出用スイッチ部１０７と、本体側受け（図示しない）を有している。
演出用スイッチ部１０７は、側壁部８ａに単数又は複数設けられており、本実施形態では、図１５のように側壁部８ａに長手方向略中央に１箇所設けられている。
演出用スイッチ部１０７は、図１７（ａ）のように付勢手段１０８と係合部１０９を有している。付勢手段１０８は、付勢手段１０８の内側端部（貯留空間１０側）が係合部１０９と当接しており、付勢している。そして、係合部１０９の大部分は、この付勢力によって、側壁部８ｃから突出している。
底面部７は、幅方向ｗの側壁部８ｃ側端部近傍に、ねじ等の締結要素と係合可能な本体側受けが設けられている。具体的には、本体側受けは、貯留姿勢において、蝶番１１５の蝶番片１１７ｂに設けられた貫通孔に対応する位置に形成されている。
【００４６】
疑似演出手段１０３に目を移すと、疑似演出手段１０３は、単数又は複数の疑似演出部材１１０（本実施形態では１つ）を有している。
本実施形態では、疑似演出手段１０３は、疑似演出部材１１０ａを有している。
疑似演出部材１１０ａは、図１６のように少なくとも下面に、遊技媒体の絵等を施した演出面１７を有した板状体である。疑似演出部材１１０ａの幅方向（図１５のｗ方向）両端面は、円弧状となっており、丸みを帯びている。疑似演出部材１１０ａの外側方向（側壁部８ａ側）先端部付近の厚み方向（図１５のｈ方向）下面にねじ等の締結要素と係合可能な演出側受け１１３が設けられている。具体的には、演出側受け１１３は、貯留姿勢において、蝶番１１５の蝶番片１１７ａに設けられた貫通孔に対応する位置に形成されている。
疑似演出部材１１０ａの幅方向ｗの長さＷａは、底面部７の幅方向ｗ全体を覆うことができる程度の長さとなっている。
蝶番１１５は、公知の蝶番と同様、軸部１１６と２つの蝶番片１１７ａ、１１７ｂを有しており、蝶番片１１７ａ、１１７ｂには、それぞれ、ねじ等の締結要素が挿入可能な貫通孔が設けられている。
【００４７】
続いて、各姿勢における遊技媒体収容箱１００の各部材の位置関係、特に筐体部１０２と疑似演出手段１０３の位置関係について、主に図１７を参照しながら説明する。
まず、貯留姿勢から説明する。
貯留姿勢では、疑似演出部材１１０ａは水平方向を向いており、底板として機能している。
疑似演出部材１１０ａの側壁部８ｃ側端部は、係合部１０９の側壁部８ｃから突出した部分によって係合されている。
疑似演出部材１１０ａは、蝶番１１５の軸部１１６を回転軸として周方向に回動可能となっている。
【００４８】
次に、遊技媒体収容箱１００を矢印（図１７（ａ）参照）のように回転させて天地を逆転させるとともに、演出用スイッチ部１０７を押圧し、演出用スイッチ部１０７と疑似演出部材１１０ａとの係合を解除する。
この時、図１７（ｂ）のような筐体部１０２の側面側から演出面１７を視認できる姿勢（以下、演出姿勢ともいう）を取る。
演出用スイッチ部１０７との係合を解除された疑似演出部材１１０ａは、重力によって、蝶番１１５の軸部１１６を回転軸として底面部７側から側壁部８ａ側に回転する。即ち、疑似演出部材１１０ａは、水平方向に対して交差する方向に向いている。疑似演出部材１１０ａの端部（蝶番１１５の軸部１１６と対向する側）は、遊技場の床面まで達している。
そして、図１７（ｃ）のように筐体部１０２の外側から疑似演出部材１１０ａの演出面１７が視認できるようになっている。
【００４９】
上記した実施形態では、演出姿勢において、筐体部の長辺に位置する側壁部に演出面を配する構成としたが、本発明はこれに限定されるものではなく、筐体部の短辺に位置する側壁部に演出面を配する構成としてもよいし、その両方でもよい。この場合、少なくとも、底面部７の短辺と連続する側壁部８ｂ、８ｄは透明となっており、外部から貯留空間１０が視認できるようにする。
【００５０】
上記した実施形態では、重力のみによって、貯留姿勢から演出姿勢に変更したが、本発明はこれに限定されるものではなく、バネ等の付勢手段を設け、重力に加えて、付勢手段の付勢力で変更してもよい。
【００５１】
上記した実施形態では、演出面１７に遊技媒体の絵等を施したものを用いたが、本発明は出球演出を演出可能な面であれば、特に限定されるものではなく、有機ＥＬ等によって出球を演出してよい。
【符号の説明】
【００５２】
１、５０、８０、１００  遊技媒体収容箱
２、５２、８２、１０２  筐体部（貯留部）
３、５３、８３、１０３  疑似演出手段
１５ａ、１５ｂ、６０ａ、６０ｂ、９０ａ、９０ｂ、１１０ａ，１１０ｂ  疑似演出部材
１７  演出面
【図１】
0005816485.tif 000002
【図２】
0005816485.tif 000003
【図３】
0005816485.tif 000004
【図４】
0005816485.tif 000005
【図５】
0005816485.tif 000006
【図６】
0005816485.tif 000007
【図７】
0005816485.tif 000008
【図８】
0005816485.tif 000009
【図９】
0005816485.tif 000010
【図１０】
0005816485.tif 000011
【図１１】
0005816485.tif 000012
【図１２】
0005816485.tif 000013
【図１３】
0005816485.tif 000014
【図１４】
0005816485.tif 000015
【図１５】
0005816485.tif 000016
【図１６】
0005816485.tif 000017
【図１７】
0005816485.tif 000018